(57)【要約】【課題】格別な興趣を使用者に供与できる歯ブラシを提供する。【解決手段】歯ブラシは、ブラシ部１１と把持部１３とを有する第１本体部１０と、第１本体部１０に着脱可能な第２本体部２０とを備える。第２本体部２０は、第１本体部１０に装着されている装着状態において、（１）第１本体部１０の把持部１３とは別の第２の把持部、（２）第１本体部１０を自立させるための支持部、及び（３）物品を収容するための収容部、として機能するように構成されている。【選択図】図４
2020162822.tif 000002
【特許請求の範囲】
【請求項１】
歯ブラシであって、
ブラシ部と把持部とを有する第１本体部と、前記第１本体部に着脱可能な第２本体部とを備え、
前記第２本体部は、前記第１本体部に装着されている装着状態において、（１）前記第１本体部の前記把持部とは別の第２把持部、（２）前記第１本体部を自立させるための支持部、及び（３）物品を収容するための収容部、として機能するように構成されている、
歯ブラシ。
【請求項２】
前記第２本体部は、前記第１本体部に装着されていない非装着状態において、独立した収容部として使用できるように構成されている、
請求項１に記載の歯ブラシ。
【請求項３】
前記第２本体部の外周は、前記第１本体部の前記把持部の外周よりも大きい、
請求項１または２に記載の歯ブラシ。
【請求項４】
前記第１本体部は、前記第２本体部が装着されていない非装着状態において、自立できないように構成されている、
請求項１〜３のいずれか１項に記載の歯ブラシ。
【請求項５】
前記第２本体部は、前記歯ブラシの使用時と不使用時の両方において、前記第１本体部への装着と当該装着の解除を行えるように構成されている、
請求項１〜４のいずれか１項に記載の歯ブラシ。
【請求項６】
前記第２本体部は、複数の前記第１本体部で共用できるように構成されている、
請求項１〜５のいずれか１項に記載の歯ブラシ。
【請求項７】
前記第１本体部は第１装着部を有し、
前記第２本体部は前記第１装着部に着脱可能な第２装着部を有する、
請求項１〜６のいずれか１項に記載の歯ブラシ。
【請求項８】
前記第２本体部は、収容凹部が形成される収容本体部と、前記収容凹部に対し開閉可能な蓋部とを備える、
請求項１〜７のいずれか１項に記載の歯ブラシ。
【請求項９】
前記蓋部は、前記第２本体部が前記第１本体部に装着されている装着状態と装着されていない非装着状態の両方において、開閉できるように構成されている、
請求項８に記載の歯ブラシ。
【請求項１０】
前記蓋部は、前記収容凹部を閉塞した閉塞位置と前記収容凹部を開放した開放位置とを取り得るように構成されているとともに、
前記第２本体部は、前記第１本体部に装着されている装着状態で、かつ、前記蓋部が閉塞位置あるときと開放位置にあるときの両方において、前記第１本体部を自立できるように構成されている、
請求項８または９に記載の歯ブラシ。
【請求項１１】
前記蓋部は、前記閉塞位置にあるときと前記開放位置にあるときとにおいて、前記歯ブラシの載置面から前記ブラシ部の上端部までの高さ位置が異なるように構成されている、
請求項１０に記載の歯ブラシ。
【請求項１２】
前記第２本体部は、前記蓋部の開放を制限するロック部をさらに備える、
請求項８〜１１のいずれか１項に記載の歯ブラシ。
【請求項１３】
前記第２本体部は、前記第１本体部に装着されている装着状態と装着されていない非装着状態の両方において、第３本体部を着脱可能に連結できるように構成されている、
請求項１〜１２のいずれか１項に記載の歯ブラシ。
【請求項１４】
前記第３本体部は、前記第２本体部と同一の構成を備える、
請求項１３に記載の歯ブラシ。
【請求項１５】
前記第２本体部が前記第１本体部に装着されている装着状態において、前記第２本体部と当該第２本体部に連結された前記第３本体部は、請求項１に記載の前記第２の把持部、前記支持部、及び前記収容部、として機能するように構成されている、
請求項１４に記載の歯ブラシ。
【請求項１６】
前記第２本体部は、開放状態のものを前記第１本体部の前記ブラシ部に被せることによって当該ブラシ部を保護できるように構成されている、
請求項１〜１５のいずれか１項に記載の歯ブラシ。
【請求項１７】
前記第１本体部には、前記歯ブラシの使用回数を表示可能な表示部が設けられている、
請求項１〜１６のいずれか１項に記載の歯ブラシ。
【請求項１８】
前記表示部は、使用回数を表すシールを貼り付けるための部分である、
請求項１７に記載の歯ブラシ。
【請求項１９】
前記シールは、前記歯ブラシの使用回数が所定回数に達したときに前記第２本体部の収容部としての使用許可を促すものを含む、
請求項１８に記載の歯ブラシ。
【請求項２０】
前記第２本体部は、所定の具象物を摸した外観を備える、
請求項１〜１９のいずれか１項に記載の歯ブラシ。
【発明の詳細な説明】
【技術分野】
【０００１】
本発明は、歯ブラシに関する。
【背景技術】
【０００２】
後記特許文献１には、ブラシ毛と柄とから成り、柄の端部に吸盤体を設けた歯ブラシが開示されている。この歯ブラシは吸盤体による壁等への吸着が可能である点において面白みがあるが、それ以外の興趣を使用者に供与することは難しい。
【先行技術文献】
【特許文献】
【０００３】
【特許文献１】登録実用新案第３１６２２４７号公報
【発明の概要】
【発明が解決しようとする課題】
【０００４】
本発明が解決しようとする課題は、格別な興趣を使用者に供与できる歯ブラシを提供することにある。
【課題を解決するための手段】
【０００５】
本発明に係る歯ブラシは、ブラシ部と把持部とを有する第１本体部と、前記第１本体部に着脱可能な第２本体部とを備え、前記第２本体部は、前記第１本体部に装着されている装着状態において、（１）前記第１本体部の前記把持部とは別の第２の把持部、（２）前記第１本体部を自立させるための支持部、及び（３）物品を収容するための収容部、として機能するように構成されている。
【発明の効果】
【０００６】
本発明に係る歯ブラシによれば、使用者に格別な興趣を供与することができる。
【図面の簡単な説明】
【０００７】
【図１】図１（Ａ）は本発明を適用した歯ブラシの第１本体部の前面図、図１（Ｂ）は同側面図、図１（Ｃ）は同下面図である。
【図２】図２（Ａ）は本発明を適用した歯ブラシの第２本体部の前面図、図２（Ｂ）は同側面図、図３（Ｃ）は同上面図である。
【図３】図３（Ａ）は蓋部がロックされた状態を示す第２本体部（ロック部以外は２点鎖線で表したもの）の拡大前面図、図３（Ｂ）は図３（Ａ）のＳ１−Ｓ１線に沿う第２本体部の断面図、図３（Ｃ）は蓋部のロックが解除された状態を示す第２本体部（ロック部以外は２点鎖線で表したもの）の拡大前面図、図３（Ｄ）は図３（Ｃ）のＳ２−Ｓ２線に沿う第２本体部の断面図、図３（Ｅ）は蓋部のロックが解除され、かつ、開放された状態を示す第２本体部の断面図である。
【図４】図４（Ａ）〜図４（Ｃ）は前記歯ブラシの使用方法の説明図である。
【図５】図５（Ａ）〜図５（Ｃ）は前記歯ブラシの使用方法の説明図である。
【図６】図６（Ａ）と図６（Ｂ）は前記歯ブラシの使用方法の説明図である。
【図７】図７（Ａ）は前記歯ブラシの第１装着部の変形例を示す図１（Ｃ）対応図、図７（Ｂ）は前記歯ブラシの第２装着部の変形例を示す図２（Ｃ）対応図、図７（Ｃ）は図７（Ｂ）に示した第２装着部の斜視図である。
【図８】図８（Ａ）は前記歯ブラシの第２本体部の変形例を示す図２（Ａ）対応図、図８（Ｂ）は同側面図、図８（Ｃ）は同上面図である。
【図９】図９は前記歯ブラシの変形例を示す図である。
【発明を実施するための形態】
【０００８】
以下の説明では、便宜上、図１（Ａ）および図２（Ａ）の手前側を前、奥側を後、上側を上、下側を下、左側を左、右側を右と表記し、他の図についてもこれらに準じて向きを表記する。
【０００９】
まず、図１〜図３を用いて、本発明に係る歯ブラシ（符号省略）の構成について説明する。
【００１０】
歯ブラシ（符号省略）は、好ましい形態として、図１に例示した第１本体部１０と、図２に例示した第２本体部２０とを備えている。第２本体部２０は第１本体部１０に着脱可能に装着可能である。
【００１１】
第１本体部１０は、ブラシ毛１１ａを有する前面視が長楕円状のブラシ部１１と、ブラシ部１１と連続した４角柱状または円柱状の頸部１２と、頸部１２と連続した４角柱状または円柱状の把持部１３と、把持部１３の下面に設けられた第１装着部１４とを有している。把持部１３は手で持つのに適した外周および上下方向長さを有しており、その前面には深さが浅い円形凹部から成る表示部１３ａが上下方向に間隔をおいて計７個設けられている。第１装着部１４は４角柱状の穴から成る。
【００１２】
第２本体部２０は、宝箱を摸した外観を有するものであって、直方体状の収容本体部２１と、横向き半円柱状の蓋部２２と、収容本体部２１に対して蓋部２２を開閉可能とするためのヒンジ部２３と、蓋部２２の上面に設けられた第２装着部２４と、蓋部２２の開放を制限するロック部２５とを有している。第２本体部２０の外周は第１本体部１０の把持部１３の外周よりも大きいものの、手で持つことは充分に可能である。第２装着部２４は第１本体部１０の第１装着部１４に整合した４角柱状を成しており、第１装着部１４に抵抗を伴って嵌め込むことによる装着を可能としている。
【００１３】
収容本体部２１には、図３（Ｂ）に示したように、アクセサリー等の物品を収容可能な収容凹部２１ａが形成され、蓋部２２にも収容凹部２１ａとの協働で収容空間を形成する凹部（符号省略）が形成されている。また、収容本体部２１の下面には、第１本体部１０の第１装着部１４と同一形状の連結穴２１ｂが設けられている。
【００１４】
ロック部２５は、図３（Ａ）および図３（Ｂ）に示したように、収容本体部２１に回転可能に設けられた円盤状の回転体２５ａと、蓋部２２に設けられた係止溝２５ｂとから構成されている。回転体２５ａは、鍵３０の差し込みを可能とした鍵穴２５ａ１と、周面から張り出した係止片２５ａ２とを有しており、収容本体部２１の前壁の空洞２１ｃに、鍵穴２５ａ１が形成された面が露出し、かつ、回転操作によって係止片２５ａ２が突出状態と非突出状態とに変化できるように回転可能に配置されている。
【００１５】
すなわち、回転体２５ａが図３（Ａ）および図３（Ｂ）の位置にあるときには、回転体２５ａの係止片２５ａ２が係止溝２５ｂに係止されて蓋部２２がロックされた状態にあるため、閉塞位置にある蓋部２２を開放することはできない。一方、図３（Ｃ）および図３（Ｄ）に示したように、鍵３０を鍵穴２５ａ１に差し込んで回転体２５ａを破線矢印方向に略９０度回転させると、回転体２５ａの係止片２５ａ２が係止溝２５ｂから外れて蓋部２２のロックが解除された状態となるため、蓋部２２を開放することが可能となる。
【００１６】
また、蓋部２２は略１８０度または１８０度超過の回転ができるようにヒンジ部２３を介して収容本体部２１に設けられているため、蓋部２２を図３（Ｅ）に示した開放位置、つまり、収容本体部２１の上縁と蓋部２２の下縁とが単一平面を成すような開放位置とすることができる。収容本体部２１に設けられた回転体２５ａを前記の破線矢印方向と反対方向にバネ付勢して自動復帰させることも可能であるが、このようにすると図３（Ｅ）において収容本体部２１の上縁から係止片２５ａ２が突出して前記の単一平面を成すことに支障が生じることがあるため、回転体２５ａのバネ付勢は必ずしも必要なものではない。
【００１７】
次に、図４〜図６を用いて、前述の歯ブラシの使用方法について作用効果を交えて説明する。
【００１８】
第１本体部１０は単独で歯ブラシとして使用できる他、図４（Ａ）に示したように、第１本体部１０に第２本体部２０を装着した装着状態での使用も可能としている。ちなみに、第１本体部１０は、第２本体部２０が装着されていない非装着状態において単独で自立することはできない。
【００１９】
第２本体２０が第１本体部１０に装着されている装着状態（図４（Ａ）を参照）において、当該第２本体部２０は、
（１）第１本体部１０の把持部１３とは別の第２把持部
（２）第１本体部１０を自立させるための支持部、及び
（３）物品を収容するための収容部
として機能するようになっている。
【００２０】
前記（１）の第２の保持部としての機能について説明すると、図４（Ａ）に示した装着状態では、使用時（歯磨き時）に、第１本体部１０の把持部１３を手で持つ把持スタイルの他、第２本体部２０を手で持つ把持スタイルと、第１本体部１０の把持部１３と第２本体部２０の両方を手で持つ把持スタイルとが採用できる。
【００２１】
すなわち、第２本体部２０が第１本体部１０に装着されている装着状態において、後者２つの把持スタイルを採用すれば、第２本体部２０の外周が第１本体部１０の把持部１３の外周よりも大きいことも相俟って、第１本体部１０の把持部１３を手で持つ把持スタイルに比べて安定した把持が可能となり、これにより、使用時（歯磨き時）に第１本体部１０が回転変位してブラシ部１１の向きが変わってしまうことを極力防止して、所期の歯磨きを適切に行うことができる。
【００２２】
前記（２）の支持部としての機能について説明すると、図４（Ａ）に示した装着状態では、図４（Ｂ）に示したように、閉塞状態の第２本体部２０を平坦な面ＦＳに置くことによって、単独では自立できない第１本体部１０を自立させることができる。また、先に述べたように、蓋部２２を収容本体部２１の上縁と当該蓋部２２の下縁とが単一平面を成すような開放位置とすることができるため（図３（Ｅ）を参照）、図４（Ｃ）に示したように、第２本体部２０の収容本体部２１と開放位置にある蓋部２２の両方を平坦な面ＦＳに置くことによって、単独では自立できない第１本体部１０を自立させることもできる。
【００２３】
すなわち、第２本体部２０が第１本体部１０に装着されている装着状態では、単独では自立できない第１本体部１０を、蓋部２２が閉塞位置にあるときの第２本体部２０と蓋部２２が開放位置にあるときの第２本体部２０の両方において自立させることができため、歯ブラシスタンド等を用いることなく、第１本体部１０を好みの位置に自立状態で置ける利便性を得ることができる。また、蓋部２２は、閉塞位置にあるときと開放位置にあるときとにおいて、歯ブラシの載置面（平坦な面ＦＳ）からブラシ部１１の上端部までの高さ位置が異なるように構成されている。このような構成により、例えば蓋部２２が閉塞位置にあるときでは、高さ距離が小さいスペースに歯ブラシを保管できない場合においても、蓋部２２を開放位置とすることにより、当該スペースにも歯ブラシを保管できるようになる。
【００２４】
前記（３）の収容部としての機能について説明すると、第２本体部２０は、図５（Ａ）に示したように、第１本体部１０に装着されている装着状態であっても開閉が可能である。また、第２本体部２０は、図５（Ｂ）に示したように、第１本体部１０に装着されていない非装着状態にあっても開閉が可能であるため、独立した収容部として使用することができる。
【００２５】
すなわち、第２本体部２０が第１本体部１０に装着されている装着状態において、第２本体部２０を開閉したり、アクセサリー等の物品を出し入れしたりする遊びが行えるため、とりわけ、幼児等に歯磨きへの関心を向けさせて歯磨きを習慣付けるのに役立たせることができる。また、第２本体部２０は、使用時（歯磨き時）と不使用時（非歯磨き時）の両方において第１本体部１０への装着と当該装着の解除が行えるため、この装着および解除によっても幼児等に歯磨きへの関心を向けさせることができる。さらに、第２本体部２０は、非装着状態で独立した収容部として使用できるため、第２本体部２０を独立した遊戯用具として利用することもできる。
【００２６】
第２本体部２０に係る他の機能について補足すると、複数の第１本体部１０が在る場合に第２本体部２０を当該複数の第１本体部１０で共用できるため、複数の第１本体部１０を個々人専用とした場合でも第２本体部２０を適宜利用することができる。
【００２７】
また、第１本体部１０を図４（Ｂ）または図４（Ｃ）に示した自立状態とした場合でも未使用の第２本体部２０が在るときや、第１本体部１０を歯ブラシスタンド等に置いた場合において未使用の第２本体部２０が在るときには、図５（Ｃ）に示したように、開放状態の第２本体部２０を第１本体部１０のブラシ部１１に被せて当該ブラシ部１１を保護することもできる。
【００２８】
さらに、複数の第２本体部２０が在る場合には、図６（Ａ）に示したように、第２本体部２０が第１本体部１０に装着されている装着状態と装着されていない非装着状態の両方において、第２本体部２０に、当該第２本体部２０と同一構成の別の第２本体部２０-2（以下、第３本体部２０-2と言う）を着脱可能に連結することができる。ちなみに、この連結は、第３本体部２０-2の第２装着部２４を第２本体部２０の連結穴２１ｃに抵抗を伴って嵌め込むことによって行うことができる。
【００２９】
第１本体部１０に第２本体部２０が装着され、かつ、第２本体部２０に第３装着部２０-2が装着されている状態（図６（Ａ）参照）では、第２本体部２０および第３本体部２０-2が、先に述べた（１）第１本体部１０の把持部１３とは別の第２把持部、（２）第１本体部１０を自立させるための支持部、及び（３）物品を収容するための収容部として機能するため、前記同様の機能および作用効果を得ることができる。
【００３０】
加えて、図６（Ａ）に示した状態にある第１本体部１０から第２本体部２０および第３本体部２０-2を取り外した場合には、各々を独立した収容部として使用できるとともに、第２本体部２０から第３本体部２０-2を取り外したり再度連結したりすることもできるため、各々を独立した遊戯用具として利用する場合の利用価値を高めることができる。
【００３１】
さらに、第１本体部１０の把持部１３の前面に深さが浅い円形凹部から成る表示部１３ａが上下方向に間隔をおいて計７個設けられているため、例えば、図６（Ｂ）に符号４０で示したようなシールを用意して、歯磨きが済む度にシール４０を表示部１３ａに貼り付けて使用回数を目視できるようにすれば、とりわけ、幼児等に歯磨きへの関心を向けさせて歯磨きを習慣付けるのに役立たせることができる。
【００３２】
第１本体部１０の把持部１３に計７個の表示部１３ａを設けた理由は、１週間分のシール４０の貼り付けを可能とし、かつ、１週間分の使用状況を簡単に目視できるようにしたことにある。この場合、７日目と１４日目等のシール４０に「ＯＰＥＮ」や「開放許可」等の文字例が付されたものを用い、歯磨きが１週間継続して為されたときに鍵３０を渡して第２本体部２０を開放できるような表示方法を採用すれば、当該貼り付けおよび表示によって幼児等への歯磨きの習慣付けを効果的に行うことができる。
【００３３】
前記シール４０はその貼り付けおよび表示を利用して幼児等に歯磨きを促すためのものであるため、数字以外を付したシール、例えば、日付および曜日を付したシールや、曜日のみを付したシールや、同種または異種のキャラクターを付したシールや、同種または異種の記号を付したもの等であってもよい。無論、表示部１３ａの数は必ずしも７個である必要はなく、７個未満または７個超過であってもよい。
【００３４】
以上説明したように、前述の歯ブラシによれば、第２本体部２０が第１本体部１０に装着されている装着状態（図４（Ａ）を参照）において、当該第２本体部２０が、（１）第１本体部１０の把持部１３とは別の第２の把持部、（２）第１本体部１０を自立させるための支持部、及び（３）物品を収容するための収容部、として機能するように構成されているため、これら機能によって格別な興趣を使用者に供与することができる。
【００３５】
なお、前述の説明では、第１本体部１０に４角柱状の穴から成る第１装着部１４を設け、かつ、第２本体部２０に第１装着部１４に整合した４角柱状の第２装着部２４を設けたものを例示したが、第１装着部１４の代わりに図７（Ａ）に示したような第１装着部１４’を採用し、かつ、第２装着部２４の代わりに図７（Ｂ）および図７（Ｃ）に示したような第２装着部２４’を採用してもよい。
【００３６】
図７（Ａ）に示した第１装着部１４’は、円形と矩形を組み合わせたような開口形状を有し、矩形部分と連続する係止溝１４ａ’を内部に有している。図７（Ｂ）および図７（Ｃ）に示した第２装着部２４’は円柱と直方体を組み合わせたような形状を有し、直方体状の係合部２４ａ’は第１装着部１４’の係止溝１４ａ’への挿入および係合を可能としている。すなわち、第１本体部１０の第１装着部１４’に第２本体部２０の第２装着部２４’を挿入して、挿入後に第２本体部２０（または第１本体部１０）を略９０度回転させて係合部２４ａ’を係止溝１４ａ’に係止することにより、第２本体部２０を第１本体部１０に装着できるようになっている。図示を省略したが、この場合、第２本体部２０の連結穴２１ｂも第１装着部１４’と同一形状の連結穴とする。
【００３７】
図７（Ａ）〜図７（Ｃ）に示した第１装着部１４’および第２装着部２４’を採用すれば、第２本体部２０の第２装着部２４’の上下方向寸法を小さくして見栄えをよくすることができる。また、図３（Ｂ）に示した連結穴２１ｂを囲む部分が収容凹部２１ａ内に張り出す上下方向寸法も小さくできるため、収容凹部２１ａの容積を増加させることができる。
【００３８】
また、前述の説明では、第２本体部２０として宝箱を摸した外観を備えるものを例示したが、図８（Ａ）〜図８（Ｃ）に示した第２本体部２０’のように宝箱を摸した外観を備えるものを採用してもよい。ちなみに、図８（Ａ）〜図８（Ｃ）に示した第２本体部２０’は、収容本体部２１’と蓋部２２’の両方を８角柱状とした点において前記第２本体部２０と相違する。無論、第２本体部の外観は、宝箱や宝石箱に限らず、他の具象物を摸した外観を備えるものであってもよい。
【００３９】
また、前述の説明では、第１本体部１０としてブラシ部１１と頸部１２と把持部１３とが一体となっているものを例示したが、ブラシ部１１および頸部１２と把持部１３とを凹凸嵌合等により着脱可能に連結可能に構成して、把持部１３に対してブラシ部１１および頸部１２を付け替えられるようにしてもよい。このようにすれば、繰り返しの使用によってブラシ毛１１ａが劣化したときでも、ブラシ部１１および頸部１２だけを交換できるため、把持部１３の交換を不要にすることができる。
【００４０】
また、第１本体部１０、及び第２本体部２０として図９に示した第１本体部、及び第２本体部であってもよい。具体的には、蓋部２２を、閉塞位置にあるときと開放位置にあるときとにおいて、歯ブラシの載置面（平坦な面ＦＳ）からブラシ部１１の上端部までの高さ位置が変化しないように、水平方向に開閉可能な構造としてもよい。この構成の場合、歯ブラシを載置面に載置した状態において第１本体部を移動させることなく、蓋部２２のみを開閉させることができる。また、第１本体部１０に鍵３０を保持する保持部を設けることで鍵３０の紛失を防止することができる。
【符号の説明】
【００４１】
１０…第１本体部、１１…ブラシ部、１３…把持部、１４，１４’…第１装着部、２０，２０’…第２本体部、２１，２１’…収容本体部、２２，２２’…蓋部、２４，２４’…第２装着部、２５…ロック部、２０-2…第３本体部、４０…シール。
【図１】
2020162822.tif 000003
【図２】
2020162822.tif 000004
【図３】
2020162822.tif 000005
【図４】
2020162822.tif 000006
【図５】
2020162822.tif 000007
【図６】
2020162822.tif 000008
【図７】
2020162822.tif 000009
【図８】
2020162822.tif 000010
【図９】
2020162822.tif 000011